(57)【要約】【課題】複数種類の光ディスクを記録媒体として利用でき、挿入されている光ディスクの種類、収差を補正する液晶素子の温度にかかわらず、光ディスクの記録面に集光するレーザ光の強度を一定に保つことで、光ディスクに記録されている情報の再生及び（又は）光ディスクへの情報の記録の品質を高めることができる光ディスク装置を提供する。【解決手段】液晶ドライバ１２、レーザドライバ１３及び記憶部１４とを制御する制御手段１５を有し、液晶素子７に印加される電圧と、レーザ光源２に供給される電力とをパラメータとする補正テーブルが備えられており、前記制御手段は補正テーブルＴ１を参照し、液晶素子７に印加される電圧をもとに、レーザ光源２を駆動する電力の補正値を決定する。【選択図】図１
2007188563.tif 000002
【特許請求の範囲】
【請求項１】
青色の第１レーザ光を出射する青色レーザ光源と、
赤色又は赤外の第２レーザ光を出射する赤色レーザ光源と、
前記第１又は第２レーザ光をＣＤ、ＤＶＤ、ＢＤ等の光ディスクの記録面に集光する対物レンズと、
液晶層の上に、円形状の透明電極と、その周りを同心円状に囲む複数の円環状の透明電極とが互いに離れて配置され、前記複数の透明電極に電圧を印加し前記液晶層の屈折率を変化させて、前記液晶層を透過するレーザ光の収差を補正する液晶素子と、
前記液晶素子の温度を検出する液晶温度検出手段と、
前記複数の透明電極それぞれに独立して電圧を印加する液晶ドライバと、
レーザ光を照射する前記光ディスクの種類にあわせて前記青色レーザ光源又は前記赤色レーザ光源のいずれかに駆動のための電力を供給するレーザドライバと、
各種情報を保存するためのメモリと、
前記液晶温度検出手段、前記液晶ドライバ、前記レーザドライバ及び前記メモリを制御するための制御手段とを有し、前記光ディスクの記録面にレーザ光を照射し、その反射光を検出することで情報の再生を行う光ディスク装置であって、
前記メモリには前記液晶素子の温度と、前記複数の透明電極に印加される電圧と、前記レーザドライバより前記青色レーザ光源又は前記赤色レーザ光源に供給される駆動のための電力とをパラメータとする補正テーブルが備えられており、
前記制御手段は、前記光ディスクにレーザ光が照射されているときに、前記補正テーブルを参照して、前記液晶ドライバより前記複数の透明電極に印加される電圧と、前記液晶温度検出手段にて検出された前記液晶素子の温度とを基に、前記レーザドライバより前記青色レーザ光源又は前記赤色レーザ光源を駆動する電力の補正値を決定することを特徴とする光ディスク装置。
【請求項２】
異なる波長のレーザ光を出射する複数のレーザ光源と、
前記複数のレーザ光源の１より出射されたレーザ光をＣＤ、ＤＶＤ、ＢＤ等の光ディスクの記録面に集光する対物レンズと、
レーザ光を透過させてその収差を補正する液晶素子と、
前記液晶素子に駆動電圧を印加する液晶ドライバと、
レーザ光を照射する光ディスクに対応したレーザ光源に駆動のための電力を供給するレーザドライバと、
各種情報を記憶するための記憶部と
前記液晶ドライバ、前記レーザドライバ及び前記記憶部とを制御する制御手段とを有する光ディスク装置であって、
前記記憶部には前記液晶ドライバより前記液晶素子に印加される電圧と、レーザ光を照射するレーザ光源に前記レーザドライバより供給される電力とをパラメータとする補正テーブルが備えられており、
前記制御手段は、前記光ディスクにレーザ光が照射されているときに、前記補正テーブルを参照し、前記液晶ドライバより前記液晶素子に印加される電圧をもとに、前記レーザ光を出射しているレーザ光源を駆動する電力の補正値を決定することを特徴とする光ディスク装置。
【請求項３】
前記光ディスク装置は前記液晶素子の温度を検出する液晶温度検出手段を有しており、
前記記憶部に保存されている前記補正テーブルは、前記液晶ドライバより前記液晶素子に印加される電圧と、レーザ光を照射するレーザ光源に前記レーザドライバより供給される電力とに加え、前記液晶素子の温度もパラメータとして含んでおり、
前記制御手段は、前記液晶ドライバより前記液晶素子に印加される電圧と、前前記光ディスクにレーザ光が照射されているときに、前記レーザ光が照射されている光ディスクの種類に対応した補正テーブルを参照し、前記液晶温度検出手段にて検出される液晶素子の温度とを基に、前記光ディスクにレーザ光を照射しているレーザ光源を駆動する電力の補正値を決定することを特徴とする請求項２に記載の光ディスク装置。
【請求項４】
前記液晶素子は液晶層の上に、円形状の透明電極と、その周りに同心円状に配された複数の円環状の透明電極とが互いに絶縁されて配置されており、
前記液晶ドライバは前記複数の透明電極にそれぞれ独立して電圧を印加することを特徴とする請求項２又は請求項３に記載の光ディスク装置。
【請求項５】
光ディスクにレーザ光を照射し、その反射光を検出することで情報を再生する再生専用であることを特徴とする請求項２から請求項４のいずれかに記載の光ディスク装置。
【発明の詳細な説明】
【技術分野】
【０００１】
本発明は、光ディスクより情報を再生する又は光ディスクに情報を記録するものであり、前記光ディスクに照射されるレーザ光の有効光の量を一定に保つことのできる光ディスク装置に関する。
【背景技術】
【０００２】
映像、音声等の情報の記録媒体としてレーザ光を照射することで情報を再生することができる光ディスクが利用されている。前記光ディスクとして、ＣＤ（Ｃｏｍｐａｃｔ  Ｄｉｓｃ）、高密度な（記憶容量の大きな）ＤＶＤ（Ｄｉｇｉｔａｌ  Ｖｅｒｓａｔｉｌｅ  Ｄｉｓｃ）が用いられており、近年、ＤＶＤよりさらに高密度な（記憶容量の大きな）ＢＤ（Ｂｌｕ−ｒａｙ  Ｄｉｓｃ）も登場し、製品化されている。これら光ディスクを記録媒体とする光ディスク装置は、前記光ディスクを回転させ該光ディスクの記録面にレーザ光を照射することで、前記光ディスクに予め記録されている情報を再生する。
【０００３】
通常、光ディスク装置ではスペース、コスト等の制約上、ひとつの光ヘッドでＣＤ、ＤＶＤ、ＢＤの記録／読出しに対応している。また、ＣＤ、ＤＶＤ、ＢＤに対応するレーザ光の波長はそれぞれ異なっており、前記、光ヘッドはそれぞれの波長のレーザ光を出射できるレーザ光源を備えている。前記光ヘッドには光ディスクと対面する対物レンズが備えられており、前記レーザ光源を出射し、光ヘッドを構成する光学系を透過したレーザ光は該対物レンズを透過することで、前記光ディスクの記録層に集光される。
【０００４】
レーザ光には対物レンズを透過するときに収差が発生する。また、光ディスクは記録層の上に保護層であるクリア層が配置された構造を有しており、クリア層を透過するときに球面収差が発生する。通常、対物レンズは１種類の光ディスク（多くはＢＤ）に対応して設計されており、対物レンズを透過し収差が発生したレーザ光は、ＢＤのクリア層で発生する収差と打ち消しあって、波面収差の少ないレーザ光として記録層上に集光される。
【０００５】
しかしながら、ＣＤ及びＤＶＤはそれぞれクリア層の厚さ、対応するレーザ光の波長、対物レンズの開口率ＮＡがＢＤのものと異なり、ＢＤ用の対物レンズを用いて、ＣＤ、ＤＶＤの記録層上にレーザ光を集光すると、ＣＤ、ＤＶＤの各光ディスクの記録層上に照射されるレーザ光には大きな収差成分を有する波面収差が発生する。また、ＢＤにおいては、記録層を上下に２層備えた２層構造のＢＤも存在しており、２層の記録層のうちどちらか一方に対応した対物レンズを用いてレーザ光を照射すると、他方の記録層に集光されるレーザ光は、大きな収差成分を有する波面収差が発生する。
【０００６】
収差成分の大きな波面収差が発生すると、光ディスクの記録面に集光されるレーザ光の集光点（以下、レーザスポットという）のスポット径が大きくなったり、レーザスポットの回りにぼやけた環状の光（ハロ）が形成されたりして、クロストーク、ジッタの増加の原因となり、光ディスクからの情報の再生精度または光ディスクへの情報の記録精度が低下する。
【０００７】
そこで、特開２００１−２２２８３８号公報に記載の発明では、各光ディスクに照射されるレーザ光の収差を、液晶素子を用いて補正するものが示されている。
【０００８】
また、レーザ光が各光ディスクの記録面に精度良くレーザスポットを形成するために、例えば、特開２００２−２８８８３２号公報に記載の発明では、レーザ光源と対物レンズの間に液晶素子を配置し、前記液晶素子に印加する電圧を制御することで、光ディスクの記録面にスポット径が小さなレーザ光を照射するものが示されている。
【特許文献１】特開２００１−２２２８３８号公報
【特許文献２】特開２００２−２８８８３２号公報
【発明の開示】
【発明が解決しようとする課題】
【０００９】
しかしながら、特開２００１−２２２８３８号公報に記載の発明のように、レーザ光の収差（球面収差）を、液晶素子を用いて補正するものの場合、補正できない収差成分はすべて高次収差として無効光として欠落することになり、本来、記録／再生に寄与する有効光の強度が低下する。有効光の強度が低下することで、記録層に形成されるレーザスポットの強度が弱まり、情報の再生／記録の精度が悪くなる場合がある。
【００１０】
また、特開２００２−２８８３２号公報に記載の発明では、液晶素子を用いてレーザ光の光ディスクに対する角度を補正するチルト補正に用いられ、チルト補正によるレーザ光の出力低下をレーザ光源の出力を補正することで解決するものが示されており、この発明の光ディスク装置では光ディスクの種類（ＣＤ、ＤＶＤ、ＢＤ等）が変わることで発生する球面収差を補正することができない。すなわち、クリア層の表面から記録面までの厚さが異なることで発生する球面収差を補正することができず、情報の再生／記録を精度良く行うことができない場合がある。
【００１１】
そこで本発明は、上記の問題に鑑みてなされたものであり、複数種類の光ディスクを記録媒体として利用でき、挿入されている光ディスクの種類にかかわらず光ディスクの記録面に集光するレーザ光の強度を一定に保つことで、光ディスクに記録されている情報の再生及び（又は）光ディスクへの情報の記録の品質を高めることができる光ディスク装置を提供することを目的とする。
【００１２】
さらに本発明は、複数種類の光ディスクを記録媒体として利用でき、挿入されている光ディスクの種類、収差を補正する液晶素子の温度にかかわらず、光ディスクの記録面に集光するレーザ光の強度を一定に保つことで、光ディスクに記録されている情報の再生及び（又は）光ディスクへの情報の記録の品質を高めることができる光ディスク装置を提供することを目的とする。
【課題を解決するための手段】
【００１３】
上記目的を達成するために本発明は、青色の第１レーザ光を出射する青色レーザ光源と、赤色又は赤外の第２レーザ光を出射する赤色レーザ光源と、前記第１又は第２レーザ光をＣＤ、ＤＶＤ、ＢＤ等の光ディスクの記録面に集光する対物レンズと、液晶層の上に、円形状の透明電極と、その周りを同心円状に囲む複数の円環状の透明電極とが互いに離れて配置され、前記複数の透明電極に電圧を印加し前記液晶層の屈折率を変化させて、前記液晶層を透過するレーザ光の収差を補正する液晶素子と、前記液晶素子の温度を検出する液晶温度検出手段と、前記複数の透明電極それぞれに独立して電圧を印加する液晶ドライバと、レーザ光を照射する前記光ディスクの種類にあわせて前記青色レーザ光源又は前記赤色レーザ光源のいずれかに駆動のための電力を供給するレーザドライバと、前記液晶温度検出手段、前記液晶ドライバ及び前記レーザドライバを制御するための制御手段とを有し、前記光ディスクの記録面にレーザ光を照射し、その反射光を検出することで情報の再生を行う光ディスク装置であって、前記制御手段は各種情報を保存するためのメモリを備えており、前記メモリには前記液晶素子の温度と、前記複数の透明電極に印加される電圧と、前記レーザドライバより前記青色レーザ光源又は前記赤色レーザ光源に供給される駆動のための電力とをパラメータとする補正テーブルが備えられており、前記制御手段は、前記光ディスクにレーザ光が照射されているときに、前記補正テーブルを参照して、前記液晶ドライバより前記複数の透明電極に印加される電圧と、前記液晶温度検出手段にて検出された前記液晶素子の温度とを基に、前記レーザドライバより前記青色レーザ光源又は前記赤色レーザ光源を駆動する電力の補正値を決定することを特徴とする。
【００１４】
この構成によると、光ディスクの記録層に照射されるレーザ光の収差を補正し、該記録層のトラックに正確なレーザスポットを形成することができる。また、前記液晶素子によって収差を補正するときに、補正しきれない収差成分による、レーザ光の強度低下が発生するのを抑制することができ、それだけ、光ディスクの記録層で反射する反射光の強度を大きくすることができる。これによって、光ディスクに記録されている情報の再生を精度良く行うことができる。
【００１５】
また、光ディスクの記録層に照射されるレーザ光の強度を一定又は略一定に保つことができるので、記録層の許容量を超える強度のレーザ光が照射されることを低減することができる。
【００１６】
これにより、光ディスクの記録層に照射されるレーザ光の強度が強すぎることで生じる記録層のダメージによって、光ディスクの情報が壊れたり、消去されたりする不具合が発生するのを防ぐことができる。
【００１７】
上記目的を達成するために本発明は、異なる波長のレーザ光を出射する複数のレーザ光源と、前記複数のレーザ光源の１より出射されたレーザ光をＣＤ、ＤＶＤ、ＢＤ等の光ディスクの記録面に集光する対物レンズと、レーザ光を透過させてその収差を補正する液晶素子と、前記液晶素子に駆動電圧を印加する液晶ドライバと、レーザ光を照射する光ディスクに対応したレーザ光源に駆動のための電力を供給するレーザドライバと、前記液晶ドライバ及び前記レーザドライバを制御する制御手段とを有する光ディスク装置であって、前記制御手段は各種情報を記憶するための記憶部を備えており、前記記憶部には前記液晶ドライバより前記液晶素子に印加される電圧と、レーザ光を照射するレーザ光源に前記レーザドライバより供給される電力とをパラメータとする補正テーブルが備えられており、前記制御手段は、前記光ディスクにレーザ光が照射されているときに、前記補正テーブルを参照し、前記液晶ドライバより前記液晶素子に印加される電圧をもとに、前記レーザ光を出射しているレーザ光源を駆動する電力の補正値を決定することを特徴とする。
【００１８】
この構成によると、光ディスクの記録層に照射されるレーザ光の収差を補正し、該記録層のトラックに正確なレーザスポットを形成することができる。また、前記液晶素子によって収差を補正するときに、補正しきれない収差成分による、レーザ光の強度低下が発生するのを抑制することができ、それだけ、光ディスクの記録層で反射する反射光の強度を大きくすることができる。これによって、光ディスクに記録されている情報の再生を精度良く行うことができる。
【００１９】
また、光ディスクの記録層に照射されるレーザ光の強度を一定又は略一定に保つことができるので、記録層の許容量を超える強度のレーザ光が照射されることを低減することができる。
【００２０】
これにより、光ディスクの記録層に照射されるレーザ光の強度が強すぎることで生じる記録層のダメージによって、光ディスクの情報が壊れたり、消去されたりする不具合が発生するのを防ぐことができる。
【００２１】
上記構成において、前記光ディスク装置は前記液晶素子の温度を検出する液晶温度検出手段を有しており、前記記憶部に保存されている前記補正テーブルは、前記液晶ドライバより前記液晶素子に印加される電圧と、レーザ光を照射するレーザ光源に前記レーザドライバより供給される電力とに加え、前記液晶素子の温度もパラメータとして含んでおり、前記制御手段は、前記液晶ドライバより前記液晶素子に印加される電圧と、前前記光ディスクにレーザ光が照射されているときに、前記レーザ光が照射されている光ディスクの種類に対応した補正テーブルを参照し、前記液晶温度検出手段にて検出される液晶素子の温度とを基に、前記光ディスクにレーザ光を照射しているレーザ光源を駆動する電力の補正値を決定するものとしてもよい。
【００２２】
さらに上記構成に置いて、前記液晶素子は液晶層の上に、円形状の透明電極と、その周りに同心円状に配された複数の円環状の透明電極とが互いに絶縁されて配置されており、前記液晶ドライバは前記複数の透明電極にそれぞれ独立して電圧を印加するものであってもよい。
【００２３】
上記光ディスク装置としては、光ディスクにレーザ光を照射し、その反射光を検出することで情報を再生する再生専用のものを挙げることができる。また、光ディスクにレーザ光を照射することで、記録層に情報を記録することができるとともに、反射光を検出して再生することができる記録／再生可能なものであってもよい。
【発明の効果】
【００２４】
本発明によると、複数種類の光ディスクを記録媒体として利用でき、挿入されている光ディスクの種類にかかわらず光ディスクの記録面に集光するレーザ光の強度を一定に保つことで、光ディスクに記録されている情報の再生及び（又は）光ディスクへの情報の記録の品質を高めることができる光ディスク装置を提供することができる。
【００２５】
本発明によると、複数種類の光ディスクを記録媒体として利用でき、挿入されている光ディスクの種類、収差を補正する液晶素子の温度にかかわらず、光ディスクの記録面に集光するレーザ光の強度を一定に保つことで、光ディスクに記録されている情報の再生及び（又は）光ディスクへの情報の記録の品質を高めることができる光ディスク装置を提供することができる。
【発明を実施するための最良の形態】
【００２６】
以下に本発明の実施形態を図面を参照して説明する。図１は本発明にかかる光ディスク装置の一例の構成を示す図である。図１に示す光ディスク装置Ａは、ＣＤ（Ｃｏｍｐａｃｔ  Ｄｉｓｃ）メディア、ＤＶＤ（Ｄｉｇｉｔａｌ  Ｖｅｒｓａｔｉｌｅ  Ｄｉｓｃ）メディア、ＢＤ（Ｂｌｕ−ｒａｙ  Ｄｉｓｃ）メディアの３種類の光ディスクを再生することができるものである。
【００２７】
光ディスク装置Ａには、青色レーザ光源１と、赤色レーザ光源２と、ダイクロプリズム３と、偏光ビームスプリッタ４と、コリメートレンズ５と、ミラー６と、液晶素子７と、１／４波長板８と、対物レンズ９と、シリンドリカルレンズ１０と、受光部１１と、液晶ドライバ１２と、レーザドライバ１３と、メモリ１４と、制御部１５とを備えている。
【００２８】
青色レーザ光源１は、青色レーザ光（波長４０５ｎｍ）を出射するためのレーザ光であり、ＢＤメディアの再生に用いられるものである。また、赤色レーザ光源２は、ＤＶＤメディアの再生用の赤色レーザ光（波長６５０ｎｍ）及びＣＤメディアの再生用の赤外レーザ光（波長７８０ｎｍ）を出射するものである。青色レーザ光源１又は赤色レーザ光源２より出射されるレーザ光は直線偏光のレーザ光である。
【００２９】
ダイクロプリズム３は特定波長のレーザ光を反射し、その他の波長のレーザ光を透過させるプリズムである。光ディスク装置Ａで用いられるダイクロプリズム３は、青色レーザ光源１より出射されたレーザ光は透過し、赤色レーザ光源２より出射された赤色レーザ光又は赤外レーザ光は反射し、各波長のレーザ光をダイクロプリズム３の後段に配置されている偏光ビームスプリッタ４に入射させる。
【００３０】
偏光ビームスプリッタ４は直線偏光のレーザ光をその偏光方向によって透過又は反射するプリズムである。青色レーザ光源１及び赤色レーザ光源２より出射されるレーザ光は、偏光ビームスプリッタ４を透過できる直線偏光のレーザ光を出射するものである。また、偏光ビームスプリッタ４を透過したレーザ光はコリメートレンズ５に入射する。コリメートレンズ５は透過したレーザ光を発散光から平行光に変換する。
【００３１】
１／４波長板８は透過するレーザ光の偏光を直線偏光から円偏光に又は円偏光を直線偏光に変換するものである。１／４波長板８を透過したレーザ光は円偏光に変換され、光ディスクＤｓで反射され、再び１／４波長板８を透過するときには直線偏光に変換される。１／４波長板８を透過し、光ディスクで反射され、再度１／４波長板８を透過することで、レーザ光の直線偏光の変更方向は９０度回転する。すなわち、光ディスクＤｓで反射する前の１／４波長板８に入射したレーザ光は偏光ビームスプリッタ４を透過する方向の直線偏光であり、光ディスクで反射し、１／４波長板８を透過したレーザ光は偏光ビームスプリッタ４で反射される方向の直線偏光になる。
【００３２】
対物レンズ９は１／４波長板８を透過したレーザ光を光ディスクＤｓの記録層上に集光させるものである。対物レンズ９はそれには限定されないが、ここでは、ＢＤメディアに対応した対物レンズである。このＢＤに対応した対物レンズ９は、ＢＤメディアの記録層にレーザ光を集光するときに、収差の発生を抑える形状に形成されているものである。
【００３３】
受光部１１は、偏光ビームスプリッタ４で反射され、シリンドリカルレンズ１０を透過したレーザ光を受光するものである。受光部１１は受光したレーザ光を電気信号に変換し、制御部１５に電気信号を送る。受光部１１はそれには限定されないが、光電素子を用いるものを挙げることができる。シリンドリカルレンズ１０は一方向にのみ光を集束することができるレンズであり、センシングに用いられるものである。
【００３４】
レーザドライバ１３は青色レーザ光源１又は赤色レーザ光源２に駆動のための電力を供給するものである。レーザドライバ１３としては、例えば電力供給用の電気回路を挙げることができる。メモリ１４は光ディスク装置Ａの各種情報を記録するためのものである。メモリ１４には、後述する補正テーブルが保存されている。制御部１５は、受光部１１、液晶ドライバ１２、レーザドライバ１３及びメモリ１４と接続し、これらを制御するものである。メモリ１４はそれには限定されないが、ここでは、記録可能なＲＡＭ（Ｒａｎｄｏｍ  Ａｃｃｅｓｓ  Ｍｅｍｏｒｙ）、読出し専用のＲＯＭ（Ｒｅａｄ  Ｏｎｌｙ  Ｍｅｍｏｒｙ）等を組み合わせたものであっても良い。また、制御部１５としては、ＣＰＵや、マイコン等の演算処理装置を含むものを挙げることができる。
【００３５】
光ディスク装置Ａを用いて光ディスクＤｓに記録されている情報を読み出す手順は以下のとおりである。まず、青色レーザ光源１を出射し、ダイクロプリズム３を透過したレーザ光又は赤色レーザ光源２を出射し、ダイクロプリズム３で反射されたレーザ光は、偏光ビームスプリッタ４に入射する。偏光ビームスプリッタ４は偏光方向によって透過又は屈折させるプリズムであり、ダイクロプリズム３より出射されたレーザ光はここでは透過するように青色レーザ光源１又は赤色レーザ光源２より出射される。偏光ビームスプリッタ４を透過したレーザ光はコリメートレンズ５にて平行光に変換され、ミラー６にて反射されて、液晶素子７に入射する。液晶素子７は後述するように収差を補正するものであり、収差の補正が必要な場合（例えば、ＤＶＤメディア、ＣＤメディアを再生する場合）、収差が補正され１／４波長板８に入射する。１／４波長板８を透過したレーザ光は、それまでの直線偏光から、円偏光に変換され、対物レンズ９に入射する。
【００３６】
対物レンズ９に入射したレーザ光は光ディスクＤｓの記録層上に集光され、レーザスポットとして照射される。記録層上に形成されているトラックにレーザ光を集光したレーザスポットが照射し反射される。このとき、レーザ光の偏光方向は反射前のレーザ光の偏光方向と逆方向に回転する円偏光になる。この逆方向の円偏光の光が対物レンズ９を経て、１／４波長板８を透過するときに、直線偏光に変換される。このとき、変換されたレーザ光の偏光方向は偏光ビームスプリッタ４を透過したレーザ光の偏光方向と直交する方向になっている。
【００３７】
１／４波長板８を透過したレーザ光は液晶素子７を透過した後にミラー６で反射されコリメータレンズ５を透過するときに平行光から集束光に変換される。コリメータレンズ５を透過したレーザ光は偏光ビームスプリッタ４で反射されて、シリンドリカルレンズ１０を透過し、受光部１１に入射する。受光部１１はレーザ光を電気信号に変換し、制御部１５にその電気信号を送る。制御部１５は受信した電気信号を、図示を省略した信号処理部に送信するとともに、電気信号に含まれる制御信号をもとに、必要であればレーザドライバ１３、液晶ドライバ１４に指示を送る。
【００３８】
次に、本発明にかかる光ディスク装置で再生可能な光ディスクについて説明する。図２は、ＢＤ、ＤＶＤ及びＣＤの主なスペックを示す表である。ＢＤメディア、ＤＶＤメディア及びＣＤメディアは記録層の上に保護層であるクリア層を有している。このクリア層は図２に示すようにＢＤメディアでは０．１ｍｍ、ＤＶＤメディアでは０．６ｍｍ、ＣＤでは１．２ｍｍである。さらに、対応するレーザの波長、対物レンズの開口率（ＮＡ）もそれぞれＢＤメディアでは波長は４０５ｎｍ、ＮＡは０．８５、ＤＶＤメディアでは波長は６５０ｎｍ、ＮＡは０．６、ＣＤメディアでは波長は７８０ｎｍ、ＮＡは０．４５といったように、それぞれ異なるスペックを有している。
【００３９】
上述のとおり、光ディスク装置ＡはＢＤメディアに対応した対物レンズ９を使用している。このＢＤメディアに対応した対物レンズ９を用いてＤＶＤメディア、ＣＤメディアの再生を行う場合、上述しているとおり、ＤＶＤメディア、ＣＤメディアではクリア層の厚さ、レーザ光の波長及びＮＡがＢＤメディアとは異なり、ＤＶＤメディア及びＣＤメディアの記録層上に集光するレーザ光の波面収差が発生する。
【００４０】
波面収差が発生すると、レーザ光の集光点（レーザスポット）が集光しきれずにぼやけたり、レーザスポットのまわりにうすい光の輪（ハロ）が発生し、情報を再生しようとしているトラック以外のトラックに照射するクロストーク、ジッタが増加してデータ再生精度が低下する。本発明ではこのような波面収差を補正するために上述した液晶素子７が用いられる。
【００４１】
図３（Ａ）は本発明の光ディスク装置に用いられる液晶素子の平面図であり、図３（Ｂ）は図３（Ａ）に示す液晶素子の断面図である。図３（Ａ）、図３（Ｂ）に示す液晶素子７は、印加電圧の応じて屈折率が可変に制御される液晶層７１を、透明電極７２及び７３で挟み込み、さらにこれらをガラス基板７４で挟んで形成されている。透明電極７２、７３はそれには限定されないが、ＩＴＯ（Ｉｎｄｉｕｍ  Ｔｉｎ  Ｏｘｉｄｅ）膜等の透明導電膜が広く採用される。
【００４２】
図３（Ａ）に示すように液晶素子７の一方の透明電極７２は中央に配置される円形状の透明電極７２１と、円形状の透明電極７２１を囲むように２個の円環状の透明電極７２２を備えてなる。この円形状の透明電極７２１及び円環状の透明電極７２２はそれぞれ独立して形成されている。すなわち、各透明電極７２１、７２２には液晶ドライバ１２を介して互いに異なる電圧を印加することができるものである。液晶ドライバ１２としてはそれには限定されないが、円形状の透明電極７２１及び（又は）円環状の透明電極７２２に適切に電圧をＩＮ化することができる回路である。
【００４３】
本実施例では、各透明電極間を離して配置するものを例示しているが、それに限定されるものではなく、透明電極同士を互いに絶縁することができる絶縁部を配置するものであってもよい。また、他方の透明電極７３は１つの円形の透明電極であり、それには限定されないが、ここでは、接地されている。
【００４４】
液晶素子７では円環状の透明電極７２２が２個配置されているものを例に説明しているが、それに限定されるものではなく、より多くの円環状の透明電極を備えているものであってもよい。この場合においても、隣り合う透明電極同士はそれぞれ独立して配置されるものである。
【００４５】
円形状の透明電極７２１及び（又は）円環状の透明電極７２２のそれぞれに電圧を印加することで、液晶層７１に部分的に異なる電界を形成し、その電界の影響で液晶層７１の屈折率が部分的に変化する。この屈折率が変化した部分を透過したレーザ光は、他の部分を透過したレーザ光に比べて位相がずれる。この位相のずれは液晶層７１に印加される電圧（電位差）で決定されるものである。
【００４６】
つぎに、図３に示す液晶素子７を用いてレーザ光の収差を補正する方法を説明する。図４（Ａ）は液晶素子の断面図であり、図４（Ｂ）は液晶素子の透明電極に電圧を印加したときの位相の補正パターンであり、図４（Ｃ）はＤＶＤメディアを再生するときにＤＶＤメディアの記録層上に生じる補正前の波面収差であり、図４（Ｄ）はレーザ光が液晶素子にて補正された後にＤＶＤメディアの記録層上に集光したときの波面収差である。図４（Ｂ）、（Ｃ）、（Ｄ）は横軸が半径、縦軸が位相（波長）である。図４の各図に示す波面収差、補正パターン、補正後の波面収差は概略を示すものであり、実際のＤＶＤメディアの再生を行う場合に発生するものとは異なる。
【００４７】
図４（Ａ）に示す液晶素子７には、２個の円環状の透明電極７２２のうち、内側の透明電極７２２ａに電圧を印加している。内側の透明電極７２２ａに電圧を印加することで、透明電極７２２ａと透明電極７３との間に電界が発生し、この部分の液晶層７１の屈折率が変化する。この状態の液晶素子７に収差のないレーザ光を透過させると、図４（Ｂ）に示すような、補正パターン（位相差）を有するレーザ光が出射する。
【００４８】
本発明にかかる光ディスク装置Ａを用いて、ＤＶＤメディアにレーザ光を照射した場合、収差補正していないと、対物レンズ９がＢＤメディアに対応しているので、図４（Ｃ）に示すような波面収差が発生する。液晶素子７の透明電極７２２ａに電圧を印加し、液晶素子７を透過するレーザ光に予め図４（Ｂ）に示すような補正を行うことで、記録層上に集光されるレーザ光は図４（Ｄ）に示すパターンの波面収差を発生する。すなわち、図４（Ｄ）に示す波面収差パターンは図４（Ｂ）に示す補正パターンと図４（Ｃ）の波面収差を重ね合わせたものになる。
【００４９】
このように補正後の波面収差は移送のずれが一定範囲に入るように補正されているので、ＤＶＤメディアを再生するときに、記録層上に集光するレーザスポットのスポット径を小さくし、ハロの発生を抑えることができる。
【００５０】
図５はレーザ光の強度分布を示す概略図である。図５に示す強度分布は、レーザ光の強度を縦軸に、レーザ光の光軸Ｐｃからの距離を横軸にとっている。また、破線は収差を補正しないで記録層に集光したレーザ光の強度分布（図４（Ｃ）のレーザ光の強度分布）であり、実線は液晶素子７で収差を補正した後に記録層に集光したレーザ光の強度分布（図４（Ｄ）のレーザ光の強度分布）である。図５に示すように、レーザ光の強度分布は光軸の近傍で高い強度を有するとともに、光軸から離れると強度が大幅に低下する。
【００５１】
光軸近傍のレーザ光が再生に寄与する有効なレーザ光であり、光ディスクＤｓの記録層に照射される。図５に示すように、収差を補正したレーザ光の光軸近傍の有効光の強度は、収差を補正していないレーザ光の有効光の強度よりも低くなっている。これは、液晶素子７でレーザ光の補正を行ったときに、補正しきれない収差成分が高次収差の無効光として欠落しているからである。更に詳しく説明すると、図４（Ｄ）の補正後の波面収差パターンの縦軸と垂直に形成されている部分（図４（Ｄ）でαで示す部分）が、高次収差として欠落するからである。
【００５２】
そこで光ディスク装置Ａでは液晶素子７でレーザ光の収差を補正する場合、有効光のレーザ光の強度が低下するので、その強度低下を補うために、青色レーザ光源１又は赤色レーザ光源２より出射されるレーザ光の出力を上げる補正を行う。
【００５３】
以下に、本発明にかかる光ディスク装置ＡでＤＶＤメディアを再生するときの波面収差の補正制御について説明する。制御部１５は光ディスク装置ＡにＤＶＤメディアが挿入されていることを確認し、レーザドライバ１３を制御して赤色レーザ光源２より赤色レーザを出射するように電力を供給する。このとき、レーザドライバ１３より赤色レーザ光源２に供給される電力は、メモリ１４に予め設定されている駆動電力の初期値である。
【００５４】
また、ＤＶＤメディアの再生時には、ＤＶＤメディアの記録層上で波面収差が発生するので、制御部１５は液晶ドライバ１２に指示を出して、液晶ドライバ１２よりＤＶＤメディアに対応した液晶駆動電圧を円環状の透明電極７２２ａに印加する。このとき、液晶ドライバ１２が印加する電圧は、各メディアごとに予め決められているものである。その設定値はメモリ１４に格納されているものであり、制御部１５がこの設定値を参照して、液晶ドライバ１２に指示を送るものである。
【００５５】
メモリ１４には、液晶素子７の補正値（透明電極７２２ａへの印加電圧）と、赤色レーザ光源２の駆動電力とをパラメータとした補正テーブルが備えられている。図６に補正テーブルの一例を示す。図６に示す第１補正テーブルＴ１は、液晶素子７の補正値と赤色レーザ光源２の駆動電力をパラメータとするものである。
【００５６】
制御部１５はメモリ１４に備えられている第１補正テーブルＴ１を参照して、液晶素子７の補正値をもとに、レーザドライバ１３に駆動電力を補正する指示を出し、補正を指示されたレーザドライバ１３は補正された駆動電力を赤色レーザ光源２に供給する。
【００５７】
例えば、液晶ドライバ１２より円環状の透明電極７２２ａに印加された電圧値がＶ３であったとすると、制御部１５はメモリ１４に格納されている第１補正テーブルＴ１を参照し、電圧値Ｖ３のときに対応する赤色レーザ光源２に供給する電力値Ｗ３を得る。その後、制御部１５は、赤色レーザ光源２への供給電力をＷ３にするようにレーザドライバ１３に指示を送り、指示を受け取ったレーザドライバ１３は赤色レーザ光源２への供給電力をＷ３に補正する。
【００５８】
その後、何らかの要因で、液晶ドライバ１２より円環状の透明電極７２２ａに印加される電圧が変化するごとに、制御部１５はメモリ１４に備えられている第１補正テーブルＴ１を参照して、その補正値に対応する赤色レーザ光源２に供給する電力補正値を決定し、レーザドライバ１３に駆動電力の補正を指示する。補正を指示されたレーザドライバ１３は補正された駆動電力を赤色レーザ光源２に供給する。
【００５９】
ここで第１補正テーブルＴ１として、印加電圧の値と供給電力の値を対応させたものを例に説明しているが、それに限定されるものではない。例えば、印加電圧に対して供給電力の値は一定の幅を持つ値にしても良い。情報の読み取りに必要なレーザ強度を赤色レーザ光源２より出射することができるように、補正できる補正テーブルを広く採用することができる。
【００６０】
図７に本発明にかかる光ディスク装置の他の例の概略配置図を示す。図７に示す光ディスク装置Ａ２は、液晶素子７の近傍に、液晶素子７（液晶素子７が配置された雰囲気）の温度を検出する温度検出部１６を備え、メモリ１４には、液晶素子７の第２補正テーブルＴ２、第３補正テーブルＴ３が備えられている。それ以外の部分に関しては図１に示す光ディスク装置Ａと同じ構成を有しており、実質上同じ部分には同じ符号が付してある。
【００６１】
図７に示すように、液晶温度検出部１６は液晶素子７に接触して又は近傍に非接触で配置され、液晶素子７の温度を検出するものである。液晶温度検出部１６としては例えば、サーミスタ、熱伝対、放射温度計等を挙げることができる。
【００６２】
液晶温度検出部１６は制御部１５と接続しており、液晶温度検出部１６で検出された液晶素子７（或いは液晶素子７の近傍）の温度は制御部１５に送られる。液晶素子７は温度が上昇すると、その屈折率が変化する。屈折率が変化すると収差が補正されず、記録層に集光するレーザ光の無効光として欠落する部分が減少する場合がある。無効光として欠落する部分を補うために赤色レーザ光源２の出力を補正しているが、欠落する無効光が減ると、有効光の強度が増し、光ディスクＤｓの記録層に照射することのできる許容範囲を超えるレーザ光が集光する場合がある。記録層に許容範囲を超えるレーザ光が照射されると、光ディスクによっては記録層にダメージを受け、記録されている情報が消失する恐れがある。
【００６３】
そこで、メモリ１４には液晶素子７の補正値ごとの、液晶温度と赤色レーザ光源に供給する電力をパラメータとする第２補正テーブルＴ２を備えられている。制御部１５は第２補正テーブルＴ２を参照して、液晶温度検出部１６で検出した温度をもとに赤色レーザ光源２に供給する電力の補正値を決定する。制御部１５はレーザドライバ１３に赤色レーザ光源２に補正された電力を供給する指示を送り、指示を受けたレーザドライバ１３は赤色レーザ光源２に補正された電力を供給する。これにより、記録層に照射されるレーザ光の有効光の強度を一定に保ち記録層へのダメージを低減する。
【００６４】
しかしながらこの状態では、液晶素子７の屈折率が変化しており、記録層上でのレーザ光の波面収差は補正し切れていないことがある。そこで、制御部１５は液晶素子７の温度によって液晶素子７の円環状の透明電極７２２ａに印加する電圧を補正しなくてはならない。メモリ１４に備えられている第３補正テーブルＴ３は液晶素子７の温度と液晶素子７の補正値（円環状の透明電極７２２ａに印加する電圧）をパラメータとしたものであり、制御部１５は、この第３補正テーブルＴ３を参照して液晶素子７の補正値を制御する。
【００６５】
制御部１５はメモリ１４に備えられている第３補正テーブルＴ３を参照して液晶温度検出部１６で検出された液晶素子７の温度に対応した、液晶素子７の補正値を決定し、液晶ドライバ１２に指示を出し、円環状の透明電極７２２ａに補正された電圧を印加する。このとき、制御部１５は、液晶素子７の補正値及び液晶素子７の温度をもとに、第２補正テーブルＴ２を参照して、赤色レーザ光源２に供給する電力の補正値を決定し、レーザドライバ１３に駆動電圧の補正を指示する。指示を受けたレーザドライバ１３は赤色レーザ光源２に対して補正された駆動電圧を供給する。
【００６６】
制御部１５がこのように液晶ドライバ１２及びレーザドライバ１３、すなわち、液晶素子７及び赤色レーザ光源２を制御することで、光ディスクＤｓの記録層に照射されるレーザ光の波面収差の補正を行い、記録層に集光するレーザスポットのスポット径を小さくするとともに、レーザ光の強度を常に記録層の許容範囲内に抑えることができるので、光ディスクＤｓの記録層にダメージを与え情報を消去してしまうことなく、また、適切なレーザスポットを記録層上に形成することで、良好な再生精度を保つことができる。
【００６７】
上記実施例では、液晶素子７の補正値（円環状の透明電極７２２ａへの印加電圧）ごとの液晶素子７の温度と赤色レーザ光源２の出力（赤色レーザ光源の駆動電圧）とをパラメータとする第２補正テーブルＴ２と、液晶素子７の温度と液晶素子７の補正値をパラメータとする第３補正テーブルＴ３とを備えているものを例に説明しているが、それに限定されるものではなく、液晶素子７の補正値、液晶素子７の温度及び赤色レーザ光源２の出力をパラメータとしたテーブルを備えており、液晶素子の温度及び補正値をもとに、レーザ光源の出力を決定するものを挙げることができる。
【００６８】
また、上記各実施例では、ＢＤメディアの再生に対応した対物レンズを備えた光学系を用いて、ＤＶＤメディアの再生を行う場合の収差の補正及びレーザ光の強度補正について説明しているが、それに限定されるものではなくＣＤメディアの再生や、２層又は多層の記録層を備えたＢＤメディアの再生を行う場合にも、利用されるものである。また、再生に限定されるものではなく、記録可能なメディアに情報を記録する場合にも利用することができる。また、ＤＶＤメディアに対応した赤色レーザとＣＤメディアに対応した赤外レーザを出射するレーザ光源として赤色レーザ光源１つで行うものを例示しているが、赤外レーザ及び赤色レーザを出射するレーザ光源がそれぞれ備えられていてもよい。
【００６９】
さらに上記実施例では、液晶素子７の透明電極７２として、中央に円形状の透明電極７２１と、円形状の透明電極７２１の周囲に、同心円状に配される２個の円環状の透明電極７２２とを備えたものを例に説明しているが、それに限定されるものではない。より多くの透明電極を配し、細かく分けて電圧を印加することで、波面収差の補正精度を高めることが可能である。この場合、補正テーブルとして電圧を印加するパターンごとに備えられ、液晶素子の温度とレーザ光の出力をパラメータとして用いるものを挙げることができる。また、電極の形状及び配置は同心円状の円形及び（又は）円環形状に限定されるものではない。
【産業上の利用可能性】
【００７０】
本発明は、ＢＤ、ＤＶＤ、ＣＤ等の光ディスクを記録媒体とする光ディスク装置において適用することができる。
【図面の簡単な説明】
【００７１】
【図１】本発明にかかる光ディスク装置の一例の構成を示す図である。
【図２】ＢＤ、ＤＶＤ及びＣＤの主なスペックを示す表である。
【図３】図（Ａ）は本発明の光ディスク装置に用いられる液晶素子の平面図であり、図（Ｂ）は図（Ａ）に示す液晶素子の断面図である。
【図４】図（Ａ）は液晶素子の断面図であり、図（Ｂ）は液晶素子の透明電極に電圧を印加したときの位相の補正パターンを示す概略図であり、図（Ｃ）はＤＶＤメディアを再生するときにＤＶＤメディアの記録層上に生じる補正前の波面収差の概略図であり、図（Ｄ）はレーザ光が液晶素子にて補正された後にＤＶＤメディアの記録層上に集光したときの波面収差の概略図である。
【図５】レーザ光の強度分布を示す概略図である。
【図６】本発明にかかる光ディスク装置に用いられる補正テーブルの一例である。
【図７】本発明にかかる光ディスク装置の他の例の概略配置図である。
【符号の説明】
【００７２】
Ａ  光ディスク装置
１  青色レーザ光源
２  赤色レーザ光源
３  ダイクロプリズム
４  偏光ビームスプリッタ
５  コリメートレンズ
６  ミラー
７  液晶素子
７１  液晶層
７２  透明電極
７２１  円形状の透明電極
７２２  円環状の透明電極
７３  透明電極
７４  ガラス基板
８  １／４波長板
９  対物レンズ
１０  シリンドリカルレンズ
１１  受光部
１２  液晶ドライバ
１３  レーザドライバ
１４  メモリ
１５  制御部
【図１】
2007188563.tif 000003
【図２】
2007188563.tif 000004
【図３】
2007188563.tif 000005
【図４】
2007188563.tif 000006
【図５】
2007188563.tif 000007
【図６】
2007188563.tif 000008
【図７】
2007188563.tif 000009